(57)【要約】【課題】周囲の音環境に応じて通話時の使用感をよくできるインターホンシステムを提供する。【解決手段】本発明は、子機と親機が音声切替部を介して接続されるものであって、音声切替部は、子機と親機の間の通話の可否を外部からの信号により制御する通話制御部と、子機と親機のマイク部からの入力信号を比較して大きい方のマイク部により通話が行えるように通話制御部を制御する比較制御部とを有するインターホンシステムにおいて、音声切替部は、子機と親機のマイク部の出力信号をそれぞれ増幅して比較制御部に入力する入力保持部を有し、比較制御部は、通話をしているマイク部に接続されている入力保持部のゲインを大きくし、このマイク部の通話が終了するとこのゲインを減少させる制御をするとともに、この減少する割合を切替設定されるようになしたものであることを特徴としている。【選択図】　図１
2004120687.tif 000002
【特許請求の範囲】
【請求項１】
マイク部とスピーカ部を有する子機と親機が音声切替部を介して接続されるものであって、音声切替部は、子機と親機の間の通話の可否を外部からの信号により制御する通話制御部と、子機と親機のマイク部からの入力信号を比較して大きい方のマイク部による通話が行えるように通話制御部を制御する比較制御部とを有するインターホンシステムにおいて、音声切替部は、子機と親機のマイク部の出力信号をそれぞれ増幅して比較制御部に入力する入力保持部を有し、比較制御部は、通話をしているマイク部に接続されている入力保持部のゲインを大きくし、このマイク部の通話が終了するとこのゲインを減少させる制御をするとともに、この減少する割合を切替設定されるようになしたものであることを特徴とするインターホンシステム。
【請求項２】
音声切替部は、マイク部の出力信号に応じて前記減少する割合を比較制御部に設定する音声検出部を有するものである請求項１記載のインターホンシステム。
【請求項３】
音声検出部は、マイク部の出力信号の波形に応じて前記減少する割合を比較制御部に設定するものであることを特徴とする請求項２記載のインターホンシステム。
【請求項４】
音声検出部は、マイク部の出力信号に含まれる特定の信号の特徴を記憶して、マイク部の出力信号にこの特定の信号の特徴を検出したときに前記減少する割合を比較制御部に設定するものであることを特徴とする請求項２記載のインターホンシステム。
【発明の詳細な説明】
【０００１】
【発明の属する技術分野】
本発明は、インターホンシステムに関する。
【０００２】
【従来の技術】従来より、屋外に設置された子機と屋内に設置された親機でで通話するインターホンシステムが知られている。このものは、多くの場合、子機から親機の通話と親機から子機の通話を切り替える音声切替部を有して構成される。例えば、特開平７−１８３９５８号公報にも音声切替部（伝送部）を用いた構成が開示されている。
この音声切替部には、図７に示すものがある。このものは、子機１から親機２と親機２から子機１の通話の可否を外部からの信号により制御する通話制御部３ａ，３ｂと、子機１と親機２のマイク部１ａ，２ａからの入力信号を比較して大きい方のマイク部（例えば１ａ）により通話が行えるように通話制御部３ａ，３ｂを制御信号ａ１，ｂ１により制御する比較制御部３ｅを有して構成されている。このものは、子機１のマイク部１ａと親機２のマイク部２ａに同時に音声の入力があったときには、比較制御部３ｅにより、音声入力の音量の大きい側のマイク部１ａ，２ａで通話を行えるように通話制御部３ａ，３ｂが制御される。
【０００３】
【特許文献１】
特開平７−１８３９５８号公報
【０００４】
【発明が解決しようとする課題】
しかしながら、図７に示した構成によれば、子機１と親機２の双方から同程度の音量で音声が入力された場合、比較制御部３ｅは、子機１と親機２のマイク部１ａ，２ａからの入力信号の大小関係が頻繁に変化するため、通話制御部３ａ，３ｂを頻繁に切り替える制御を行うことになる。そのため、使用者（来訪者と応答者）は、通話している音声が途切れ途切れになることにより、不快感を感じる場合がある。
【０００５】
この課題に対応するため、図８に示した構成が考えられている。このものは、図７に示した構成の音声切替部３に子機１と親機２のマイク部１ａ，２ａの出力信号をそれぞれ増幅して比較制御部３ｅに入力する入力保持部３ｃ，３ｄを設けたものである。そして、比較制御部３ｅは、通話をしているマイク部（例えば１ａ）に接続されている入力保持部３ｃのゲインを大きくし、このマイク部１ａの通話が終了するとこのゲインが減少し、入力保持部３ｃと入力保持部３ｄは一方が大きくなれば他方が小さくするような逆のゲインを有するように制御信号ａ２，ｂ２によりそれぞれを制御する。
【０００６】
このものは、この構成にすることにより、図９のように動作する。すなわち、親機２のマイク部２ａに音声入力ＩＢ１が入力され、子機１のマイク部１ａに音声入力ＩＡ１がないときには、比較制御部３ｅは、親機２のマイク部２ａに接続された入力保持部３ｄのゲインＧＢ１を大きく、子機１のマイク部１ａに接続された入力保持部３ｃのゲインＧＡ１を小さくするように制御する。
【０００７】
そして音声入力ＩＢ１の入力がなくなり背景雑音だけとなると、比較制御部３ｅは、入力保持部３ｄを制御して、ゲインＧＢ１をゲインが緩やかに減少する。ここで、音声入力ＩＡ１が生じてもその入力信号が小さければ、比較制御部３ｅに入力される信号ＣＡ１，ＣＢ１の大小関係が変化しないので通話の切り替えは生じない。そして、音声入力ＩＡ１が大きくなって比較制御部３ｅに入力される信号ＣＡ１，ＣＢ１の大小関係が変化するので、通話の切り替えが生じ、子機１と親機２のスピーカ部１ｂ，２ｂには、それぞれ音声出力ＯＢ１，ＯＡ１が生じる。つまり、音声入力ＩＢ１がなくなっても一定時間は音声切替を起こりにくくするのである。
【０００８】
しかしながら、図８のような構成で比較制御部３ｅにより入力保持部３ｃ、３ｄのゲインが緩やかに減少するときに、例えば動物の鳴き声のようなある程度の音量を持つ短い音声入力Ｐ（以下、急峻な音声入力Ｐという）が親機２のマイク部２ａに連続して入力された場合、図１０のような動作を行うことになる。つまり、親機２のマイク部２ａの音声入力ＩＢ２に急峻な音声入力Ｐが生じると、比較制御部３ｅにより入力保持部３ｄのゲインＧＢ２は大きくなり、急峻な音声入力ＰがなくなってもゲインＧＢ２は徐々に減少するので、急峻な音声入力Ｐが連続して入力されるとゲインＧＢ２が大きいままとなる。そうすると、比較制御部３ｅに入力される信号ＣＡ２，ＣＢ２は、子機１のマイク部１ａに音声入力ＩＡ２が生じても、親機２側から入力される信号ＣＢ２が大きいままとなり、急峻な音声入力Ｐが存在するうちは通話の切り替えが生じないことになる。
【０００９】
本発明は、上記事由に鑑みてなしたもので、その目的とするところは、周囲の音環境に応じて通話時の使用感をよくできるインターホンシステムを提供することにある。
【００１０】
【課題を解決するための手段】
請求項１に係る発明は、マイク部とスピーカ部を有する子機と親機が音声切替部を介して接続されるものであって、音声切替部は、子機と親機の間の通話の可否を外部からの信号により制御する通話制御部と、子機と親機のマイク部からの入力信号を比較して大きい方のマイク部による通話が行えるように通話制御部を制御する比較制御部とを有するインターホンシステムにおいて、音声切替部は、子機と親機のマイク部の出力信号をそれぞれ増幅して比較制御部に入力する入力保持部を有し、比較制御部は、通話をしているマイク部に接続されている入力保持部のゲインを大きくし、このマイク部の通話が終了するとこのゲインを減少させる制御をするとともに、この減少する割合を切替設定されるようになしたものであることを特徴としている。
【００１１】
したがって、比較制御部は、通話をしているマイク部による通話が終了してもそのマイク部に接続された入力保持部のゲインを減少させることによりゲインを保持するので、子機と親機のマイク部から同程度の音量で音声入力がされても頻繁に通話の切り替えが生じることを抑えることができる。また、このゲインを減少する割合を比較制御部に設定することができるので、マイク部に入力される音声に応じた値に設定することにより、不要な音で通話が占有されることや頻繁に通話が切り替わることの発生する頻度を少なくすることができる。
【００１２】
請求項２に係る発明は、請求項１記載のインターホンシステムにおいて、音声切替部は、マイク部の出力信号に応じて前記減少する割合を比較制御部に設定する音声検出部を有するものであることを特徴としている。
【００１３】
したがって、音声切替部はマイク部の出力信号に応じてゲインを減少する割合を比較制御部に設定するので、手動操作を必要とせずに周囲の音環境に応じた設定にすることができる。
【００１４】
請求項３に係る発明は、請求項２記載のインターホンシステムにおいて、音声検出部は、マイク部の出力信号の波形に応じて前記減少する割合を比較制御部に設定するものであることを特徴としている。
【００１５】
したがって、音声検出部は、マイク部の出力信号の波形を監視するので、マイク部に入力される音の特徴を判断して周囲の音環境に応じてゲインを減少する割合を比較制御部に設定することができる。
【００１６】
請求項４に係る発明は、請求項２記載のインターホンシステムにおいて、音声検出部は、マイク部の出力信号に含まれる特定の信号の特徴を記憶して、マイク部の出力信号にこの特定の信号の特徴を検出したときに前記減少する割合を比較制御部に設定するものであることを特徴としている。
【００１７】
したがって、周囲の環境で発生する特定の音声によるマイク部の出力信号の特徴を記録してゲインを減少する割合を比較制御部に設定するので、設置場所によく生じる音声に対応することができる。
【００１８】
【発明の実施の形態】
（第１の実施形態）
次に、請求項１の発明に係る一実施形態を図１、図２、図１０を用いて説明する。このものは、図１に示すように、子機１と、親機２と、子機１と親機２を接続する音声切替部３と、ゲイン切替設定部４とを有して構成されている。
【００１９】
子機１は、住宅の玄関などの屋外に設置され、来訪者が居住者（応答者）と通話するために用いるものである。このものは、マイク部１ａと、スピーカ部１ｂとを有して構成されている。マイク部１ａは、来訪者の音声が入力されるものであり、スピーカ部１ｂは、応答者からの音声が出力されるものである。
【００２０】
親機２は、住宅などの屋内に設置され、応答者が来訪者と通話するために用いるものである。このものは、マイク部２ａと、スピーカ部２ｂとを有して構成されている。マイク部２ａは、応答者の音声が入力されるものであり、スピーカ部２ｂは、来訪者からの音声が出力されるものである。
【００２１】
音声切替部３は、通話制御部３ａ，３ｂと、入力保持部３ｃ，３ｄと、比較制御部３ｅとを有して構成されている。通話制御部３ａは、マイク部１ａとスピーカ部２ｂを接続しており、通話制御部３ｂはマイク部２ａとスピーカ部１ｂを接続している。これらの通信制御部３ａ，３ｂは、それぞれ比較制御部３ｅから制御信号ａ１，ｂ１を入力され、マイク部１ａとスピーカ部２ｂとの間かマイク部２ａとスピーカ部１ｂとの間のどちらか一方のみの通話ができるように制御される。
【００２２】
入力保持部３ｃ，３ｄは、アンプである。入力保持部３ｃは、マイク部１ａの出力信号を増幅して比較制御部３ｅに入力するように接続され、入力保持部３ｄは、マイク部２ａの出力信号を増幅して比較制御部３ｅに入力するように接続している。これらの入力保持部３ｃ，３ｄは、比較制御部３ｅから制御信号ａ２，ｂ２を入力され、その増幅のゲインが制御される。
【００２３】
比較制御部３ｅは、マイク部１ａ，２ａと、入力保持部３ｃ，３ｄの出力側と接続されている。そして、このものは、通話制御部３ａ，３ｂにそれぞれ制御信号ａ１，ｂ１を入力して子機１と親機１の間の通話の制御を行い、入力保持部３ｃ，３ｄにそれぞれ制御信号ａ２，ｂ２を入力することによりそれらの増幅のゲインを制御する。このものは、入力保持部３ｃの出力信号と入力保持部３ｄの出力信号を比較し、大きい入力の側に接続されているマイク部１ａ，２ａを用いた通話のみができるように通話制御部３ａ，３ｂを制御する。また、このものは、通話ができるマイク部１ａ，２ａに接続されている入力保持部３ｃ，３ｄのゲインを大きくし、このマイク部１ａ，２ａの通話が終了するとこのゲインを設定された一定の割合（以下、ゲイン減少割合という）で減少させるように制御する。また、このものは、入力保持部３ｃと入力保持部３ｄは片方が大きくなれば片方を小さくするような逆のゲインを有するように制御する。このことにより、子機１と親機２のマイク部１ａ，２ａから同程度の音量で音声入力がされても頻繁に通話の切り替えが生じることを抑えることができる。そして、この比較制御部３ｅは、ゲイン切替設定部４によりゲイン切替信号ｃが入力されることにより、ゲイン減少割合の設定を変化させる。例えば、このゲイン減少割合を小さい値から大きい値に変化させることができる。
【００２４】
ゲイン切替設定部４は、比較制御部３ｅにゲイン切替信号ｃを入力して、比較制御部３ｅに設定されているゲイン減少割合を変化させるものである。このものは、例えばスイッチを操作することによりゲイン切替信号ｃを発生するものなどがある。
【００２５】
次に、第１の実施形態の動作を図２を用いて説明する。ここでは、動物の鳴き声のような急峻な音声入力Ｐがあることがわかっている場合に、ゲイン切替設定部４を操作して比較制御部３ｅにゲイン切替信号ｃを入力し、比較制御部３ｅのゲイン減少割合を大きい値に設定している。そして、図１０と同じ音声入力ＩＡ２，ＩＢ２が入力されたときについて説明する。
【００２６】
親機２のマイク部２ａの音声入力ＩＢ２に急峻な音声入力Ｐが生じると、比較制御部３ｅにより入力保持部３ｄのゲインＧＢ３は大きくなるように制御され、急峻な音声入力ＰがなくなってもゲインＧＢ３はゲイン減少割合に従って減少する。そして、ゲイン切替設定部４を操作して比較制御部３ｅに設定されているゲイン減少割合を大きな値としているので、点Ｑのようにゲインが速く減少する。そうすると、比較制御部３ｅへの入力信号ＣＡ３，ＣＢ３の大小関係は音声入力ＩＢ２の２回目の急峻な音声入力Ｐの後に変化するため、比較制御部３ｅは、通話制御部３ａ，３ｂを制御して通話を切り替える。そのため、スピーカ部１ｂとスピーカ部２ｂには、音声出力ＯＢ３と音声出力ＯＡ３が出力される。このようにゲイン切替設定部４を操作して比較制御部３ｅのゲイン減少割合を大きい値に設定することにより、動物の鳴き声などのような急峻な音声入力Ｐにより通話が占有される長さを短くすることができる。
【００２７】
このように、第１の実施形態においては、比較制御部３ｅは、通話をしているマイク部１ａ，２ａによる通話が終了してもそのマイク部１ａ，２ａに接続された入力保持部３ｃ，３ｄのゲインを一定の割合で減少させることによりゲインを保持するので、子機１と親機２のマイク部１ａ，２ａから同程度の音量で音声入力がされても頻繁に通話の切り替えが生じることを抑えることができる。また、このゲインを減少する割合を比較制御部３ｅに切替設定することができるので、マイク部１ａ，２ａに入力される音声に応じた値に設定することにより、不要な音で通話が占有されることや頻繁に通話が切り替わることの発生する頻度を少なくすることができる。
【００２８】
（第２の実施形態）
次に、請求項１乃至３の発明に係る一実施形態を図３乃至図５を用いて説明する。このものは、第１の実施形態とゲイン切替設定部４の代わりに音声検出部３ｆを有する点で異なり、その他は第１の実施形態と同じ構成である。
【００２９】
音声検出部３ｆは、マイク部１ａとマイク部２ａに接続されている。このものは、マイク部１ａとマイク部２ａの出力信号が入力され、これらの出力信号によりマイク部１ａ，２ａに急峻な音声入力Ｐが存在するかどうかを判断し、それが存在したときに比較制御部３ｅにゲイン減少割合を大きな値にするものである。このものは、図４に示すある一定レベルＡ以上の音量を有する時間ＴＡがある時間Ｔよりも小さい波形ＣＲのようなものを急峻な波形の音声入力であると判断する。よって、波形ＣＤは急峻な波形の音声入力とは判断しない。このものは、図５に示すように動作する。まず、マイク部１ａ，２ａの出力信号の波形についてある一定レベルＡ以上の音量があるかどうかを判断する（ＳＴ１）。そして、これがＮｏであれば、つぎの波形の処理を行い、Ｙｅｓであれば、この波形がその一定レベルＡとなる時間ＴＡがある時間Ｔよりも小さいかどうかについて判断する（ＳＴ２）。そして、これがＹｅｓであれば、急峻な波形の音声が近くに存在すると判断して比較制御部３ｅに入力保持部３ｃ，３ｄのゲイン減少割合を（ここでは、小さな値から大きな値に）変更するように指示し（ＳＴ３）、変更した入力保持部３ｃ、３ｄのゲイン減少割合の特性を一定時間保持した後に元の特性に（ここでは、大きな値から小さな値に）戻す（ＳＴ４）。一方、これがＮｏであれば、急峻な波形の音声が近くに存在しないと判断して比較制御部３ｅに入力保持部３ｃ，３ｄのゲイン減少割合の変更を指示せずに終了する（ＳＴ５）。このようにして、手動操作を必要とせずに周囲の音環境に応じたゲイン減少割合を比較制御部３ｅに設定にすることができるようになるのである。この第２の実施形態の動作は、ゲイン減少割合を比較制御部３ｅに設定した後は第１の実施形態と同様であるので説明を省略する。
【００３０】
このように、第２の実施形態においては、音声切替部は、子機または親機のマイク部の出力信号の波形を監視する音声検出部を有するので、マイク部に入力される音の特徴を判断して周囲の音環境に応じてゲインを減少する割合を比較制御部に設定し、手動操作を必要とせずに周囲の音環境に応じた設定にすることができる。
【００３１】
（第３の実施形態）
次に、請求項１と、請求項２と請求項４の発明に係る一実施形態を図６を用いて説明する。このものは、第２の実施形態と記憶指示部５を有する点と、音声検出部の動作の点で異なり、その他は第２の実施形態と同じ構成である。
【００３２】
記憶指示部５は、例えばスイッチのようなものであり、これを操作することにより音声検出部３ｆに記憶指示信号ｄを入力して音声検出部３ｆを制御するものである。
【００３３】
音声検出部３ｆは、記憶指示部５から記憶指示信号ｄが入力されると子機１または親機２のマイク部１ａ，２ａの音声入力に対する出力信号に含まれる特定の信号の特徴を記憶する。そして、このものは、通話時に子機１または親機２の出力信号にこの特徴を検出したときにその特徴に応じたゲイン減少割合を比較制御部３ｅに設定するようにゲイン切替信号ｃを入力するものである。この特徴としては、音声の継続時間や、音量、周波数特性などを用いる。
【００３４】
この第３の実施形態の動作は、ゲイン減少割合を比較制御部３ｅに設定した後は第１の実施形態と同様であるので説明を省略する。
【００３５】
このように第３の実施形態においては、周囲の環境で発生する特定の音声によるマイク部１ａ，２ａの出力信号の特徴を記録してゲイン減少割合を比較制御部に設定するので、設置場所によく生じる音声に対応することができる。
【００３６】
なお、ここでは、比較制御部３ｅは、ゲイン減少割合を小さな値から大きな値へ変化させる場合について説明したが、その逆であってもよい。また、比較制御部３ｅは、ゲイン減少割合は小さい値と大きい値の２つのレベルを設定するものを説明したが、周囲の状況に合わせて３つ以上のレベルを設定するものであってもよい。
【００３７】
また、音声検出部３ｆは、急峻な音声入力Ｐを検出してゲイン低減割合の値を小さい値から大きい値にするものを説明したが、ゲイン低減割合を小さい値に設定しておき、急峻な音声入力Ｐを一定時間検知しないときにゲイン低減割合を大きい値から小さい値にするように制御するものであってもよい。また、このものは、急峻な音声入力の波形と、そうでないものの２つを検出するものとしたが、それに限るものではなく、一定レベルＡ以上となる時間ＴＡなどにより３つ以上の状態を波形から検出するものであってもよい。
【００３８】
【発明の効果】
請求項１に係る発明によれば、比較制御部は、通話をしているマイク部による通話が終了してもそのマイク部に接続された入力保持部のゲインを減少させることによりゲインを保持するので、子機と親機のマイク部から同程度の音量で音声入力がされても頻繁に通話の切り替えが生じることを抑えることができる。また、このゲインを減少する割合を比較制御部に切替設定することができるので、マイク部に入力される音声に応じた値に設定することにより、不要な音で通話が占有されることや頻繁に通話が切り替わることの発生する頻度を少なくすることができる。
【００３９】
請求項２に係る発明によれば、請求項１記載の効果に加え、音声切替部はマイク部の出力信号に応じてゲインを減少する割合を比較制御部に設定するので、手動操作を必要とせずに周囲の音環境に応じた設定にすることができる。
【００４０】
請求項３に係る発明によれば、請求項２記載の効果に加え、音声検出部は、マイク部の出力信号の波形を監視するので、マイク部に入力される音の特徴を判断して周囲の音環境に応じてゲインを減少する割合を比較制御部に設定することができる。
【００４１】
請求項４に係る発明によれば、請求項２記載の効果に加え、周囲の環境で発生する特定の音声によるマイク部の出力信号の特徴を記録してゲインを減少する割合を比較制御部に設定するので、設置場所によく生じる音声に対応することができる。
【図面の簡単な説明】
【図１】第１の実施形態を示すブロック図である。
【図２】第１乃至３の実施形態の各部の動作を示す波形図である。
【図３】第２の実施形態を示すブロック図である。
【図４】急峻な音声入力を示す波形図である。
【図５】第２の実施形態の音声検出部の動作を示すフローチャートである。
【図６】第３の実施形態を示すブロック図である。
【図７】従来例を示すブロック図である。
【図８】従来例の課題を検討した構成を示すブロック図である。
【図９】従来例の課題を検討した構成の各部の動作を示す波形図である。
【図１０】従来例の課題を検討した構成に急峻な音声入力を加えたときの各部の動作を示す波形図である。
【符号の説明】
１　　　子機
１ａ　　マイク部
１ｂ　　スピーカ部
２　　　親機
２ａ　　マイク部
２ｂ　　スピーカ部
３　　　音声切替部
３ａ，３ｂ　通話制御部
３ｃ，３ｄ　入力保持部
３ｅ　　比較制御部
３ｆ　　音声検出部
【図１】
2004120687.tif 000003
【図２】
2004120687.tif 000004
【図３】
2004120687.tif 000005
【図４】
2004120687.tif 000006
【図５】
2004120687.tif 000007
【図６】
2004120687.tif 000008
【図７】
2004120687.tif 000009
【図８】
2004120687.tif 000010
【図９】
2004120687.tif 000011
【図１０】
2004120687.tif 000012